(57)【要約】【課題】  印刷してもまたウェブブラウザを用いても、電子化されたパーツリストに含まれるイラスト図面を高画質にて参照できるようにする。【解決手段】  パーツリストおよびイラスト図面を電子化して保存する際に、イラスト図面を例えばＳＶＧ変換して、印刷可能かつウェブブラウザを用いて参照可能に保存部７に保存する。パソコン９からウェブサーバ５にアクセスしてパーツリストの表示の指示を行うと、保存部７に保存されたパーツリストおよびイラスト図面をパソコン９に表示する。【選択図】          図１
2006099606.tif 000002
【特許請求の範囲】
【請求項１】
各種部品により構成される製品の図面と、該図面に含まれる部品についてのパーツリストを管理するシステムにおいて、
前記図面を印刷可能かつブラウザにより閲覧可能な態様にて保存することを特徴とするパーツリスト管理システム。
【請求項２】
前記製品の技術情報を印刷可能かつブラウザにより閲覧可能な態様にてさらに保存することを特徴とする請求項１記載のパーツリスト管理システム。
【請求項３】
前記部品が更新された場合、該部品についての更新情報を印刷可能かつブラウザにより閲覧可能な態様にてさらに保存することを特徴とする請求項１または２記載のパーツリスト管理システム。
【発明の詳細な説明】
【技術分野】
【０００１】
本発明は、例えばラボ機器のような製品のパーツリストを管理するためのパーツリスト管理システムに関するものである。
【背景技術】
【０００２】
ラボ機器のような製品のメインテナンスのために、製品の分解図やパーツリストのマニュアルを作成することが行われている。そして、メインテナンスを行うオペレータは、マニュアルに含まれるパーツリストを参照して製品を分解したり、交換の必要がある部品を特定したり、必要な部品の注文等を行っている。また、部品の変更があった場合には、マニュアルにおけるパーツリストの差し替え版を作成し、これをオペレータに配布することによりパーツリストの更新を行っている。
【０００３】
しかしながら、パーツリストは非常に多くのページに亘るため、メインテナンスの該当箇所を探すのに非常に手間がかかる。また、更新も更新されたページを差し替えることにより行っているため、そのページを紛失してしまうと更新されないままパーツリストが存在することとなる。
【０００４】
このため、パーツリストを電子化してサーバにおいて保管することが行われている。また、電子回路の新規採用部品をネットワーク上のシステムに登録し、ネットワーク経由でシステムにアクセスすることにより、部品を閲覧するシステムが提案されている（特許文献１参照）。
【０００５】
このように、電子化されたパーツリストをネットワーク上に保存し、オペレータのパソコンにインストールされたウェブブラウザを用いてネットワーク経由で電子化されたパーツリストにアクセスすることにより、製品の図面やパーツリストを参照してメインテナンスを行うことができる。また、パーツリストを電子化することにより、部品や図面の検索が容易となり、さらに更新も電子化されたパーツリストにおいて行われるため、オペレータはパーツリストの更新に注意を払わなくても、常に最新のパーツリストを参照してメインテナンスを行うことが可能となる。また、必要なページを印刷して用いることもできるため、オペレータは自分の都合に合わせてパーツリストを利用することが可能となる。
【特許文献１】特開２００３−６７４２３号公報
【発明の開示】
【発明が解決しようとする課題】
【０００６】
上述したようにパーツリストを電子化した場合、図面のファイルは容量が大きくなることから、圧縮率を高くする等して容量を小さくしている。ここで、主にウェブブラウザを用いて電子化されたパーツリストを参照する場合は、パソコンのモニタの解像度はそれほど大きくないことから、それほど高画質である必要はないため、圧縮率を高くしても問題はない。しかしながら、パーツリストを印刷して利用する場合、圧縮率が高いと画質の劣化の程度が大きいため、イラスト図面の画質が非常に悪いものとなる。
【０００７】
本発明は上記事情に鑑みなされたものであり、印刷してもまたウェブブラウザを用いても、電子化されたパーツリストに含まれる図面を高画質にて参照できるようにすることを目的とする。
【課題を解決するための手段】
【０００８】
本発明によるパーツリスト管理システムは、各種部品により構成される製品の図面と、該図面に含まれる部品についてのパーツリストを管理するシステムにおいて、
前記図面を印刷可能かつブラウザにより閲覧可能な態様にて保存することを特徴とするものである。
【０００９】
「印刷可能かつブラウザにより閲覧可能な態様」は、図面のファイルを例えばＳＶＧ変換することにより得ることができる。ＳＶＧとはScalable Vector Graphicsの略であり、ＸＭＬ文書で２次元ベクタグラフィックスを表現するための仕様である。ＳＶＧはビットマップと違い、解像度に応じた品質で表示および印刷ができ、表示の拡大、縮小を行っても画像を滑らかに表現することができるという特徴を有する。
【００１０】
なお、本発明によるパーツリスト管理システムにおいては、前記製品の技術情報を印刷可能かつブラウザにより閲覧可能な態様にてさらに保存するようにしてもよい。
【００１１】
「製品の技術情報」としては、電子化された製品のマニュアル、更新情報、およびエラー対応表等が用いられる。
【００１２】
また、本発明によるパーツリスト管理システムにおいては、前記部品が更新された場合、該部品についての更新情報を印刷可能かつブラウザにより閲覧可能な態様にてさらに保存するようにしてもよい。
【００１３】
「部品が更新される」とは、今まで使用されていた部品に代えて新たな部品が採用されること、部品の形状が変更されること、部品の名称が変更されること、および部品の番号が変更されること等、部品に関するあらゆる情報が変更されることを意味する。
【発明の効果】
【００１４】
本発明によれば、製品の図面を印刷可能かつブラウザにより閲覧可能な態様にて保存しているため、ブラウザを用いても印刷しても、高画質の図面を参照することができる。
【００１５】
また、製品の技術情報を印刷可能かつブラウザにより閲覧可能な態様にて保存することにより、製品の技術情報についても高画質にて参照することができる。
【００１６】
また、部品が更新された場合には、更新情報を印刷可能かつブラウザにより閲覧可能な態様にて保存することにより、更新情報についても高画質にて参照することができる。
【発明を実施するための最良の形態】
【００１７】
以下、図面を参照して本発明の実施形態について説明する。図１は本発明の実施形態によるパーツリスト管理システムの構成を示す概略ブロック図である。図１に示すように、本実施形態によるパーツリスト管理システムは、パーツリストを管理する管理サーバ１と、パーツリストを閲覧可能に公開する、ネットワーク３と接続されたウェブサーバ５と、パーツリストを含む各種情報を保存するハードディスク等からなる保存部７とを備える。
【００１８】
なお、本実施形態においてはパーツリスト管理システムはラボ機器の部品を管理するものとし、ラボ機器の部品のパーツリスト、分解図等のイラスト図面、マニュアル、更新情報およびエラー対応表等のラボ機器についての各種技術情報が電子化されて保存部７に保存されている。そして、オペレータが管理サーバ１を用いて各種技術情報を管理する。
【００１９】
図２はイラスト図面およびパーツリストの保存の態様を説明するための図である。イラスト制作ソフトウェアを用いて作成された製品のイラスト図面１１は、ＳＶＧ変換されてＳＶＧファイル１３が生成される。一方、ＤＴＰ編集用のソフトウェアを用いて作成されたパーツリスト１５はイラスト図面のＳＶＧファイル１３とともにＸＭＬ化されて、図面付きパーツリストを表すＸＭＬ形式のファイル１７が生成される。そして、ＸＭＬ形式のファイル１７がＰＤＦ変換されて、印刷用およびウェブ閲覧用のＰＤＦファイル１９が生成される。さらにＸＭＬ形式のファイル１７はＨＴＭＬ変換も施されてウェブ閲覧用のＨＴＭＬファイル２１が生成される。なお、ＨＴＭＬファイル２１には検索機能が付与される。そして、ＰＤＦファイル１９およびＨＴＭＬファイル２１が保存部７に保存される。
【００２０】
なお、保存部７にはこのように生成された図面付きパーツリストのＨＴＭＬファイル２１のみならず、オペレータがウェブサーバ５にアクセスした際に参照可能なように、マニュアル、更新情報およびエラー対応表等の技術情報が保存される。これらの技術情報は例えばＰＤＦファイルとして保存される。また、保存部７には、オペレータがパソコン９を用いてネットワーク３経由でウェブサーバ５にアクセスした際にパソコン９に表示するための各種ウェブページのＨＴＭＬファイルも保存される。さらに、保存部７にはすべての部品についての部品番号、部品名称、インデックス番号および図番を対応付けたデータベースが保存される。そしてこのデータベースを参照して後述する各種検索が行われる。
【００２１】
そして、オペレータがパソコン９を用いてウェブサーバ５にアクセスすることにより、パーツリスト管理システムにより管理されるラボ機器の図面付きパーツリストおよび各種技術情報をパソコン９に表示することができ、これにより、図面付きパーツリストおよび各種技術情報をラボ機器のメインテナンス等に利用することが可能となる。
【００２２】
以下、本実施形態によるパーツリスト管理システムを利用する際にパソコン９に表示される表示画面の遷移について説明する。
【００２３】
オペレータがパーツリスト管理システムのウェブサーバ５にアクセスすると初期画面が表示される。図３は初期画面を示す図である。図３に示すように初期画面３１には「ウェブパーツリスト」のタイトル３１Ａ、部品検索を行うための検索フィールド３１Ｂ、ラボ機器フィールド３１Ｃおよびラボ機器の画像を表示する画像フィールド３１Ｄが表示される。
【００２４】
検索フィールド３１Ｂには、部品番号を入力する入力ボックス３１Ｅが表示され、ここにオペレータが所望とする部品の番号を入力し、検索ボタン３１Ｆをクリックすることにより入力した部品の番号についての検索が開始される。また、リセットボタン３１Ｇをクリックすることにより入力ボックス３１Ｅに入力した部品の番号をリセットすることができる。ここで本実施形態においては前方一致検索を行い、検索された部品が含まれるラボ機器のみがラボ機器フィールド３１Ｃに表示される。
【００２５】
ラボ機器フィールド３１Ｃには、パーツリスト管理システムに登録されているラボ機器のプロダクト名および機種番号が表示される。プロダクト名はリンクとなっており、所望とするプロダクト名をクリックすることにより、画像フィールド３１Ｄにクリックされたプロダクト名に対応するラボ機器のメインメニューが表示される。なお、メインメニューが表示された画面をメイン画面とする。
【００２６】
図４はメイン画面を示す図である。図４に示すようにメイン画面３３には、初期画面３１と同様のタイトル３１Ａ、検索フィールド３１Ｂ、およびラボ機器フィールド３１Ｃが表示され、初期画面３１における画像フィールド３１Ｄの部分にメインメニュー３３Ａが表示される。
【００２７】
メインメニュー３３Ａには、プロダクト名およびリファレンスナンバーを表示するためのタイトルフィールド３３Ｂ、インデックス検索を行うためのインデックス検索フィールド３３Ｃ、部品番号検索を行うための部品番号検索フィールド３３Ｄ、部品名称検索を行うための部品名称検索フィールド３３Ｅおよび更新された部品を検索するための更新部品検索フィールド３３Ｆが表示される。
【００２８】
タイトルフィールド３３Ｂには、プロダクト名およびリファレンスナンバーとともに、選択したプロダクトについてのすべての図面付きパーツリストのＰＤＦファイルを表示あるいはダウンロードするためのＰＤＦボタン３３Ｇが表示される。オペレータは、ＰＤＦボタン３３Ｇをクリックすることにより、図面付きパーツリストのＰＤＦファイル１９をパソコン９に表示あるいはダウンロードすることができる。また、表示あるいはダウンロードしたＰＤＦファイル１９を印刷して、図面付きパーツリストを紙媒体として利用することができる。
【００２９】
インデックス検索フィールド３３Ｃ、部品番号検索フィールド３３Ｄ、部品名称検索フィールド３３Ｅおよび更新部品検索フィールド３３Ｆのイラスト部分はリンクとなっており、イラスト部分をクリックすると、各種検索方式の画面へ移行する。なお、本実施形態においては、インデックス検索フィールド３３Ｃをクリックした場合、別ウィンドウで検索画面が表示される。
【００３０】
図５はインデックス検索画面を示す図である。図５に示すようにインデックス検索画面３５には、現在表示されているプロダクト名を表示するプロダクト名フィールド３５Ａ、インデックス検索フィールド３５Ｂ、インデックスメニューフィールド３５Ｃ、およびイラスト表示フィールド３５Ｄが表示される。
【００３１】
インデックス検索フィールド３５Ｂは、現在表示しているプロダクトについてのオペレータが検索したい部品のインデックスナンバーおよび図番が分かっている場合に使用されるものであり、インデックスナンバー入力ボックス３５Ｅ、図番入力ボックス３５Ｆ、検索ボタン３５Ｇおよびリセットボタン３５Ｈが表示される。そしてオペレータがインデックスナンバー入力ボックス３５Ｅおよび図番入力ボックス３５Ｆにインデックスナンバーおよび図番をそれぞれ入力し、検索ボタン３５Ｇをクリックすることにより、入力したインデックスナンバーおよび図番に対応する図面付きパーツリストが別ウィンドウで表示される。なお、リセットボタン３５Ｈをクリックすることにより、インデックスナンバー入力ボックス３５Ｅおよび図番入力ボックス３５Ｆに入力したインデックスナンバーおよび図番をリセットすることができる。
【００３２】
インデックスメニューフィールド３５Ｃには、現在表示している機種についてのすべてのインデックスが表示される。具体的には、「ＩＮＤＥＸ０１−本体部」、「ＩＮＤＥＸ０２−カバー部」…のように表示される。各インデックスはリンクとなっており、インデックスをクリックすることにより、クリックしたインデックスについての図面付きパーツリストが表示される。
【００３３】
イラスト表示フィールド３５Ｄには、現在表示しているプロダクトのイラストがインデックスの数分表示されている。各イラストには対応するインデックスの部分の色が変更されて表示されている。各イラストはリンクとなっており、イラストをクリックすることにより、クリックしたイラストに対応するインデックスについての図面付きパーツリストが表示される。
【００３４】
なお、インデックス検索画面３５の左隅には、「記号の見方」ボタン３６Ａ、「ねじ・座金略号」ボタン３６ＢおよびＳＶＧボタン３６Ｃが表示されている。オペレータが「記号の見方」ボタン３６Ａをクリックすると、本実施形態においてパソコン９に表示される各種画面において使用されている記号の見方を説明するためのＳＶＧファイルが表示される。また、「ねじ・座金略号」ボタン３６Ｂをクリックすると、イラスト図面において使用されているねじ・座金略号を説明するためのＳＶＧファイルが表示される。また、ＳＶＧボタン３６Ｃをクリックすると、ＳＶＧに関する説明ダイアログが表示される。説明ダイアログには、パーツリストにおける画面の操作方法およびＳＶＧファイルを見るためのビューアの入手方法等が表示される。
【００３５】
図６は部品番号検索画面を示す図である。図６に示すように部品番号検索画面３７には、初期画面３１と同様のタイトル３１Ａ、メインメニューへ戻るためのメインメニューボタン３７Ａ、部品番号を入力するための入力ボックス３７Ｂ、検索ボタン３７Ｃ、リセットボタン３７Ｄ、注文リストを表示するための注文リストボタン３７Ｅ、検索結果をファイルとして出力するためのファイル出力ボタン３７Ｆ、特殊部品についての検索を行うための特殊部品フィールド３７Ｇおよび検索結果表示フィールド３７Ｊが表示されている。
【００３６】
オペレータはメインメニューボタン３７Ａをクリックすることによりメイン画面３３に戻ることができる。なお、メインメニューボタン３７Ａが表示されているフィールドには検索の対象となっているラボ機器のプロダクト名（ここではＦ３５５）が表示される。
【００３７】
また、オペレータが入力ボックス３７Ｂに部品番号を入力し、検索ボタン３７Ｃをクリックすることにより、入力した部品番号の検索が行われ、検索結果が検索結果表示フィールド３７Ｈに表示される。なお、リセットボタン３７Ｄをクリックすることにより、入力ボックス３７Ｂに入力した部品番号をリセットすることができる。
【００３８】
ここで、本実施形態においては前方一致検索を行うものとし、検索した部品番号が先頭に表示され、それ以降にその部品番号に連続する部品番号を有する部品が表示したリストが表示される。また、スクロールバー３７Ｊによりリストをスクロールすることができる。
【００３９】
検索結果表示フィールド３７Ｈに表示されたリストには、更新、注文、部品番号、部品名称、インデックス、記号、セクション名および価格の項目が含まれる。更新の項目にはその部品が更新されている場合に例えばペンの形状をした所定のマークが付与される。この所定のマークをクリックすることにより、その部品についての更新履歴が別ウィンドウで表示される。注文の項目はチェックボックスが表示されており、チェックボックスをクリックしてチェックすることにより注文したい部品を選択することができる。また、インデックスの数値はリンクとなっており、クリックすることにより、該当するインデックスおよび図番のイラスト図面を含む図面付きパーツリストが別ウィンドウで表示される。
【００４０】
オペレータは検索結果表示フィールド３７Ｈにおいて注文したい部品を選択し、注文リストボタン３７Ｅをクリックすることにより、注文リストを生成することができる。また、ファイル出力ボタン３７Ｆをクリックすることにより、検索結果をファイルとして出力することができる。
【００４１】
図７は部品名称検索画面を示す図である。図７に示すように部品名称検索画面３９には、初期画面３１と同様のタイトル３１Ａ、メインメニューへ戻るためのメインメニューボタン３９Ａ、部品名称を入力するための入力ボックス３９Ｂ、検索ボタン３９Ｃ、リセットボタン３９Ｄ、部品名称表示フィールド３９Ｅおよび検索結果表示フィールド３９Ｆが表示されている。
【００４２】
オペレータはメインメニューボタン３９Ａをクリックすることによりメイン画面３３に戻ることができる。なお、メインメニューボタン３９Ａが表示されているフィールドには検索の対象となっているラボ機器のプロダクト名が表示される。
【００４３】
また、オペレータが入力ボックス３９Ｂに部品名称を入力し、検索ボタン３９Ｃをクリックすることにより、入力した部品名称の検索が行われ、検索された部品の名称のリストが検索結果表示フィールド３９Ｆに表示される。なお、リセットボタン３９Ｄをクリックすることにより、入力ボックス３９Ｂに入力した部品名称をリセットすることができる。
【００４４】
ここで、本実施形態においては前方一致検索を行うものとし、検索された部品名称のリストが検索結果表示フィールド３９Ｆに表示される。
【００４５】
検索結果表示フィールド３９Ｆに表示されたリストには、更新、部品番号、部品名称、インデックスおよびセクション名の項目が含まれる。更新の項目にはその部品が更新されている場合に所定のマークが付与される。この所定のマークをクリックすることにより、その部品についての更新履歴が表示される。また、インデックスの数値はリンクとなっており、クリックすることにより、該当するインデックスおよび図番のイラスト図面を含む図面付きパーツリストが別ウィンドウで表示される。
【００４６】
部品名称表示フィールド３９Ｅには、部品名称のリストが表示される。各部品名称はリンクとされており、部品名称をクリックすることによりクリックした部品名称のリストが検索結果表示フィールド３９Ｆに表示される。
【００４７】
図８は更新部品検索画面を示す図である。図８に示すように更新部品検索画面４１には、初期画面３１と同様のタイトル３１Ａ、メインメニューへ戻るためのメインメニューボタン４１Ａ、検索対象期間の年および月を入力するための年月入力ボックス４１Ｂ、検索ボタン４１Ｃ、リセットボタン４１Ｄ、修正履歴表示フィールド４１Ｅ並びに検索結果を表示するための検索結果表示フィールド４１Ｆが表示されている。
【００４８】
オペレータはメインメニューボタン４１Ａをクリックすることによりメイン画面３３に戻ることができる。なお、メインメニューボタン４１Ａが表示されているフィールドには検索の対象となっているラボ機器の機種名が表示される。
【００４９】
また、オペレータが入力ボックス４１Ｂに検索対象期間を入力し、検索ボタン４１Ｃをクリックすることにより、入力した期間内に更新された部品の検索が行われ、その期間に更新された部品のリストが検索結果表示フィールド４１Ｆに表示される。なお、リセットボタン４１Ｄをクリックすることにより、入力ボックス４１Ｂに入力した検索対象期間をリセットすることができる。なお、検索対象期間の入力ボックス４１Ｂはプルダウンメニューとすることが好ましい。
【００５０】
修正履歴表示フィールド４１Ｅには、対象機種についての更新がなされたすべての年月日がリンクとして表示される。各年月日をクリックすることにより、その年月日に更新された部品のリストが検索結果表示フィールド４１Ｆに表示される。
【００５１】
検索結果表示フィールド４１Ｆに表示されたリストには、更新日時（２００３／０１／１６）、インデックス（１５−０１）、変更項目（部品番号）、旧（更新前の番号：１２３４）、新（更新された番号：１２３５）および対象号機の番号（Ｆ３５５）の項目が含まれる。また、リストにはＰＤＦボタン４１Ｇが表示され、これをクリックすることによりその更新を記載した更新情報のＰＤＦファイルを参照することができる。また、インデックスの数値はリンクとなっており、クリックすることにより、該当するインデックスおよび図番のイラスト図面を含む図面付きパーツリストが別ウィンドウで表示される。
【００５２】
図９は図面付きパーツリストを表示するパーツリスト表示画面を示す図である。図９に示すようにパーツリスト表示画面４３は、イラスト表示フィールド４３Ａ、パーツリスト表示フィールド４３Ｂ、ボタン表示フィールド４３Ｃ、並びに図５に示すインデックス検索画面３５と同様のインデックス検索フィールド３５Ｂおよびインデックスメニューフィールド３５Ｃが表示される。
【００５３】
イラスト表示フィールド４３Ａには、検索した部品に対応する図番のイラスト図面が表示される。
【００５４】
パーツリスト表示フィールド４３Ｂには、検索した部品を含むインデックスについてのパーツリストにおいて検索した部品に対応する部分が表示される。また、パーツリスト表示フィールド４３Ｂにはスクロールバー４３Ｄが付与されており、スクロールバー４３Ｄによりパーツリストをスクロールすることができる。なお、表示されたリストには、更新、注文、部品名称、個数および価格の項目が含まれる。
【００５５】
更新の項目にはその部品が更新されている場合に所定のマークが付与される。この所定のマークをクリックすることにより、その部品についての更新履歴が表示される。また、更新の項目に所定のマークが付与されている部品については、その部品番号の項目に更新前後の部品番号が表示され、更新後の部品番号には更新日が、更新前の部品番号には「変更前図」のテキストが表示される。更新日および「変更前図」のテキストはリンクとされており、更新日をクリックすることにより、更新の履歴が表示される。また、「変更前図」のテキストをクリックすることにより変更前のイラスト図面が別ウィンドウで表示される。
【００５６】
注文の項目はチェックボックスが表示されており、チェックボックスをクリックしてチェックすることにより注文したい部品を選択することができる。
【００５７】
ここで、パーツリストの各部品とイラスト図面上の部品とは対応付けられており、イラスト図面において所望とする部品をクリックするとパーツリストにはクリックした部品に対応する部分が表示される。また、パーツリストにおいて所望とする部品を選択すると、イラスト図面においては選択した部品に対応する部分が表示される。なお、パーツリストにおいて表示した部品については、イラスト図面上において色を変更するようにしてもよい。
【００５８】
ボタン表示フィールド４３Ｃには、全履歴表示ボタン４３Ｅおよび注文リストボタン４３Ｆが表示されている。全履歴表示ボタン４３Ｅをクリックすることにより、表示されているパーツリスト内の更新履歴を持つすべての部品についての履歴が表示される。また、注文リストボタン４３Ｆをクリックすることにより、注文の項目をチェックした部品についての注文リストが表示される。
【００５９】
本発明によれば、イラスト図面１１をＳＶＧファイル１３として印刷可能かつブラウザにより閲覧可能な態様にて保存しているため、ブラウザを用いても印刷しても、高画質のイラスト図面を参照することができる。
【００６０】
また、マニュアル、更新情報およびエラー対応表等の技術情報をＰＤＦファイルとして保存するようにしたため、必要な情報を印刷して利用することができる。
【００６１】
なお、上記実施形態においては、本発明によるパーツリスト管理システムにおいて、ラボ機器のパーツリストを管理しているが、イラスト図面およびパーツリストを用いる各種製品について、本発明によるパーツリスト管理システムによりパーツリストを管理することが可能である。
【図面の簡単な説明】
【００６２】
【図１】本発明の実施形態によるパーツリスト管理システムの構成を示す概略ブロック図
【図２】イラスト図面およびパーツリストの保存の態様を説明するための図
【図３】初期画面を示す図
【図４】メイン画面を示す図
【図５】インデックス検索画面を示す図
【図６】部品番号検索画面を示す図
【図７】部品名称検索画面を示す図
【図８】更新部品検索画面を示す図
【図９】図面付きパーツリスト表示画面を示す図
【符号の説明】
【００６３】
１    管理サーバ
３    ネットワーク
５    ウェブサーバ
７    保存部
９    パソコン
１１  イラスト図面
１３  ＳＶＧファイル
１５  パーツリスト
１７  ＸＭＬファイル
１９  ＰＤＦファイル
２１  ＨＴＭＬファイル
【図１】
2006099606.tif 000003
【図２】
2006099606.tif 000004
【図３】
2006099606.tif 000005
【図４】
2006099606.tif 000006
【図５】
2006099606.tif 000007
【図６】
2006099606.tif 000008
【図７】
2006099606.tif 000009
【図８】
2006099606.tif 000010
【図９】
2006099606.tif 000011